(57)【要約】【課題】  本発明の目的は、通信相手との親密度を反映させた文書を送信することが可能な通信機器を提供することにある。【解決手段】  本発明の通信機器は、文書の送信先である通信相手を識別する宛先識別部と、通信履歴情報と、親密度に対応付けられた画像情報とを記録する記録部と、通信履歴情報に基づいて、通信相手との親密度を判定する親密度判定部と、親密度判定部による判定と、画像情報とに基づいて、文書に挿入する画像を決定する画像決定部と、画像決定部により決定された画像を、文書に挿入する装飾部と、装飾部によって画像が挿入された文書を、通信相手へ送信する送信部と、を有する。【選択図】      図１
2011043939.tif 000002
【特許請求の範囲】
【請求項１】
文書の送信先である通信相手を識別する宛先識別部と、
通信履歴情報と、親密度に対応付けられた画像情報とを記録する記録部と、
前記通信履歴情報に基づいて、前記通信相手との親密度を判定する親密度判定部と、
前記親密度判定部による判定と、前記画像情報とに基づいて、前記文書に挿入する画像を決定する画像決定部と、
前記画像決定部により決定された前記画像を、前記文書に挿入する装飾部と、
前記装飾部により前記画像が挿入された文書を、前記通信相手へ送信する送信部と、を有することを特徴とする通信機器。
【請求項２】
前記通信履歴情報は、前記通信相手と所定の通信機能を利用した文書の遣り取りの回数、前記文書のデータ量、あるいは前記文書の遣り取りの時間間隔の中で、少なくともいずれか一つの情報を含むことを特徴とする、請求項１に記載の通信機器。
【請求項３】
前記画像情報は、キャラクタの変遷情報、前記文書の背景画像情報、または前記文書のフレーム画像情報のうち、少なくともいずれか一つを含むことを特徴とする、請求項１または２に記載の通信機器。
【請求項４】
前記文書に含まれる語句を抽出する抽出部と、
感情判定部と、を更に有し、
前記記録部は、所定の感情の種類毎に定められた語句の語句情報を記録し、
前記感情判定部は、前記語句情報に基づいて、前記抽出部によって抽出された語句が属する感情の種類を判定し、
前記画像情報は、前記親密度と前記感情の種類とに対応付けられており、
前記画像決定部は、前記親密度判定部による判定と、前記感情判定部により判定された感情の種類と、前記画像情報とに基づいて、前記文書に挿入する画像を決定することを特徴とする、請求項１乃至３のいずれか一項に記載の通信機器。
【請求項５】
前記画像情報は、前記親密度に対応付けられている第一の画像情報と、前記感情の種類に対応付けられている第二の画像情報と、を含むことを特徴とする、請求項１乃至４のいずれか一項に記載の通信機器。
【請求項６】
前記通信相手との実距離を算出する位置情報取得部を更に有し、
前記親密度判定部は、前記通信履歴情報と、前記位置情報取得部により算出された前記通信相手との実距離とに基づいて、前記親密度を判定することを特徴とする、請求項１乃至５のいずれか一項に記載の通信機器。
【請求項７】
通信機器と、
前記通信機器と通信可能なデータサーバと、を備え、
前記データサーバは、
前記通信機器の通信履歴情報と、親密度に対応付けられた画像情報と、を記録し、
前記通信機器は、
文書の送信先である通信相手を識別する宛先識別部と、
前記通信履歴情報に基づいて、前記通信相手との親密度を判定する親密度判定部と、
前記親密度判定部による判定と、前記画像情報とに基づいて、前記文書に挿入する画像を決定する画像決定部と、
前記画像決定部により決定された前記画像を、前記文書に挿入する装飾部と、
前記装飾部により前記画像が挿入された文書を、前記通信相手へ送信する送信部と、を有することを特徴とする通信システム。
【請求項８】
前記通信履歴情報は、前記通信相手と所定の通信機能を利用した文書の遣り取りの回数、前記文書のデータ量、あるいは前記文書の遣り取りの時間間隔の中で、少なくともいずれか一つの情報を含むことを特徴とする、請求項７に記載の通信システム。
【請求項９】
前記画像情報は、キャラクタの変遷情報、前記文書の背景画像情報、または前記文書のフレーム画像情報のうち、少なくともいずれか一つを含むことを特徴とする、請求項７または８に記載の通信システム。
【請求項１０】
前記データサーバは、
所定の感情の種類毎に定められた語句の語句情報を更に記録し、
前記通信機器は、
前記文書に含まれる語句を抽出する抽出部と、
前記語句情報に基づいて、前記抽出部が抽出した語句が属する感情の種類を判定する感情判定部と、を更に有し、
前記画像情報は、前記親密度と前記感情の種類とに対応付けられており、
前記画像決定部は、前記親密度判定部による判定と、前記感情判定部により判定された感情の種類と、前記画像情報とに基づいて、前記文書に挿入する画像を決定することを特徴とする、請求項７乃至９のいずれか一項に記載の通信システム。
【請求項１１】
前記画像情報は、前記親密度に対応付けられている第一の画像情報と、前記感情の種類に対応付けられている第二の画像情報と、を含むことを特徴とする、請求項７乃至１０のいずれか一項に記載の通信システム。
【請求項１２】
前記通信機器は、
前記通信相手との実距離を算出する位置情報取得部を更に有し、
前記親密度判定部は、前記通信履歴情報と、前記位置情報取得部により算出された前記通信相手との実距離とに基づいて、前記親密度を判定することを特徴とする、請求項７乃至１１のいずれか一項に記載の通信システム。
【請求項１３】
文書の送信先である通信相手を識別する宛先識別工程と、
通信履歴情報を記録する履歴記録工程と、
親密度に対応付けられた画像情報を記録する画像記録工程と、
前記通信履歴情報に基づいて、前記通信相手との親密度を判定する親密度判定工程と、
前記親密度判定工程による判定と、前記画像情報とに基づいて、前記文書に挿入する画像を決定する画像決定工程と、
前記画像決定工程により決定された前記画像を、前記文書に挿入する装飾工程と、
前記装飾工程により前記画像が挿入された文書を、前記通信相手へ送信する送信工程と、を有することを特徴とする通信方法。
【請求項１４】
前記通信履歴情報は、前記通信相手と所定の通信機能を利用した文書の遣り取りの回数、前記文書のデータ量、あるいは前記文書の遣り取りの時間間隔の中で、少なくともいずれか一つの情報を含むことを特徴とする、請求項１３に記載の通信方法。
【請求項１５】
前記画像情報は、キャラクタの変遷情報、前記文書の背景画像情報、または前記文書のフレーム画像情報のうち、少なくともいずれか一つを含むことを特徴とする、請求項１３または１４に記載の通信方法。
【請求項１６】
所定の感情の種類毎に定められた語句の語句情報を記録する語句記録工程と、
前記文書に含まれる語句を抽出する抽出工程と、
前記語句情報に基づいて、前記抽出工程により抽出された語句が属する感情の種類を判定する感情判定工程と、を更に有し、
前記画像情報は、前記親密度と前記感情の種類とに対応付けられており、
前記画像決定工程は、前記親密度判定工程による判定と、前記感情判定工程により判定された感情の種類と、前記画像情報とに基づいて、前記文書に挿入する画像を決定することを特徴とする、請求項１３乃至１５のいずれか一項に記載の通信方法。
【請求項１７】
前記画像情報は、前記親密度に対応付けられている第一の画像情報と、前記感情の種類に対応付けられている第二の画像情報と、を含むことを特徴とする、請求項１３乃至１６のいずれか一項に記載の通信方法。
【請求項１８】
前記通信相手との実距離を算出する位置情報取得工程を更に有し、
前記親密度判定工程は、前記通信履歴情報と、前記位置情報取得工程により算出された前記通信相手との実距離とに基づいて、前記親密度を判定することを特徴とする、請求項１３乃至１７のいずれか一項に記載の通信方法。
【請求項１９】
文書の送信先である通信相手を識別する宛先識別工程と、
通信履歴情報を記録する履歴記録工程と、
親密度に対応付けられた画像情報を記録する画像記録工程と、
前記通信履歴情報に基づいて、前記通信相手との親密度を判定する親密度判定工程と、
前記親密度判定工程による判定と、前記画像情報とに基づいて、前記文書に挿入する画像を決定する画像決定工程と、
前記画像決定工程により決定された前記画像を、前記文書に挿入する装飾工程と、
前記装飾工程により前記画像が挿入された文書を、前記通信相手へ送信する送信工程と、を実行させるためのプログラム。
【請求項２０】
前記通信履歴情報は、前記通信相手と所定の通信機能を利用した文書の遣り取りの回数、前記文書のデータ量、あるいは前記文書の遣り取りの時間間隔の中で、少なくともいずれか一つの情報を含むことを特徴とする、請求項１９に記載のプログラム。
【請求項２１】
前記画像情報は、キャラクタの変遷情報、前記文書の背景画像情報、または前記文書のフレーム画像情報のうち、少なくともいずれか一つを含むことを特徴とする、請求項１９または２０に記載のプログラム。
【請求項２２】
所定の感情の種類毎に定められた語句の語句情報を記録する語句記録工程と、
前記文書に含まれる語句を抽出する抽出工程と、
前記語句情報に基づいて、前記抽出工程により抽出された語句が属する感情の種類を判定する感情判定工程と、を更に実行させ、
前記画像情報は、前記親密度と前記感情の種類とに対応付けられており、
前記画像決定工程は、前記親密度判定工程による判定と、前記感情判定工程により判定された感情の種類と、前記画像情報とに基づいて、前記文書に挿入する画像を決定することを特徴とする、請求項１９乃至２１のいずれか一項に記載のプログラム。
【請求項２３】
前記画像情報は、前記親密度に対応付けられている第一の画像情報と、前記感情の種類に対応付けられている第二の画像情報と、を含むことを特徴とする、請求項１９乃至２２のいずれか一項に記載のプログラム。
【請求項２４】
前記通信相手との実距離を算出する位置情報取得工程を更に実行させ、
前記親密度判定工程は、前記通信履歴情報と、前記位置情報取得工程により算出された前記通信相手との実距離とに基づいて、前記親密度を判定することを特徴とする、請求項１９乃至２３のいずれか一項に記載のプログラム。
【発明の詳細な説明】
【技術分野】
【０００１】
本発明は、文書を作成することができる通信機器および通信システムおよび通信方法およびプログラムに関するものである。
【背景技術】
【０００２】
近年、テキストのみの文書だけでなく、多彩な表現、装飾性の豊かな文書を作成することが可能な装置がある。
【０００３】
このような装置として、例えば特許文献１に記載されているメール変換装置がある。特許文献１に記載のメール変換装置は、メールの表題を解析し、予め記憶されてあるテンプレートとメール本文とを組み合わせたメールを生成する。これにより、リッチコンテンツを含むメールを配信することが可能となる。
【０００４】
また、特許文献２には、テンプレート作成装置が記載されている。特許文献２に記載のテンプレート作成装置は、装飾した画像、写真、文字挿入図形、図形文字をデコレーションテンプレートとして保存し、Ｅメールの本文として送信する。これにより、自作の絵、自分が撮った写真、自分でダウンロードした画像を使ってメールの送信が可能となり、メールでの表現方法が増える。
【０００５】
しかしながら、特許文献１や２に記載のメール変換装置あるいはテンプレート作成装置においては、通信相手との親密度、例えばコミュニケーションの回数に応じた表現や装飾を行うことはできない。
【０００６】
通信相手とのコミュニケーションの回数を反映できる通信装置が、例えば特許文献３に記載されている。
【０００７】
特許文献３に記載の通信装置は、受信した電子メールの文字数によって決定された成長速度と、受信した育成データと、に基づいて仮想生命体を育成し、育成した仮想生命体を表示する。これにより、電子メールの受信者は、送信者とのコミュニケーションの度合いを知ることが可能になる。
【先行技術文献】
【特許文献】
【０００８】
【特許文献１】特開２００８−０４１０８１号公報
【特許文献２】特開２００９−０２６０８９号公報
【特許文献３】特開２００２−１４０２６９号公報
【発明の概要】
【発明が解決しようとする課題】
【０００９】
しかしながら、特許文献３において仮想生命体の育成を行うのは、メールと仮想生命体の種を受信した受信側の通信装置である。すなわち、メールの送信側の通信装置は、受信側の通信装置に対して、メールと共に仮想生命体の種を送信するのみである。
【００１０】
そのため、メールの送信側の通信装置の利用者は、受信側の通信装置において仮想生命体の成長が完了するまで、通信相手との親密度がどの程度なのかを知ることができない。
【００１１】
本発明の目的は、このような問題に鑑み、通信相手との親密度を反映させた文書を送信することが可能な通信機器および通信システムおよび通信方法およびプログラムを提供することにある。
【課題を解決するための手段】
【００１２】
本発明の通信機器は、文書の送信先である通信相手を識別する宛先識別部と、通信履歴情報と、親密度に対応付けられた画像情報とを記録する記録部と、通信履歴情報に基づいて、通信相手との親密度を判定する親密度判定部と、親密度判定部による判定と、画像情報とに基づいて、文書に挿入する画像を決定する画像決定部と、画像決定部により決定された画像を、文書に挿入する装飾部と、装飾部によって画像が挿入された文書を、通信相手へ送信する送信部と、を有する。
【００１３】
また、本発明の通信システムは、通信機器と、通信機器と通信可能なデータサーバと、を備え、データサーバは、通信機器の通信履歴情報と、親密度に対応付けられた画像情報と、を記録する記録部と、を有し、通信機器は、文書の送信先である通信相手を識別する宛先識別部と、通信履歴情報に基づいて、通信相手との親密度を判定する親密度判定部と、親密度判定部による判定と、画像情報とに基づいて、文書に挿入する画像を決定する画像決定部と、画像決定部により決定された画像を、文書に挿入する装飾部と、装飾部によって画像が挿入された文書を、通信相手へ送信する送信部と、を有する。
【００１４】
また、本発明の通信方法は、文書の送信先である通信相手を識別する宛先識別工程と、通信履歴情報と、親密度に対応付けられた画像情報とを記録する記録工程と、通信履歴情報に基づいて、通信相手との親密度を判定する親密度判定工程と、親密度判定工程による判定と、画像情報とに基づいて、文書に挿入する画像を決定する画像決定工程と、画像決定工程により決定された画像を、文書に挿入する装飾工程と、装飾工程によって画像が挿入された文書を、通信相手へ送信する送信工程と、を有する。
【００１５】
また、本発明のプログラムは、文書の送信先である通信相手を識別する宛先識別工程と、通信履歴情報と、親密度に対応付けられた画像情報とを記録する記録工程と、通信履歴情報に基づいて、通信相手との親密度を判定する親密度判定工程と、親密度判定工程による判定と、画像情報とに基づいて、文書に挿入する画像を決定する画像決定工程と、画像決定工程により決定された画像を、文書に挿入する装飾工程と、装飾工程によって画像が挿入された文書を、通信相手へ送信する送信工程と、を実行させる。
【発明の効果】
【００１６】
本発明によれば、通信相手との親密度を反映させた文書を送信することが可能になる。
【図面の簡単な説明】
【００１７】
【図１】本発明の第１の実施形態における通信機器の構成の一例を示す。
【図２】本発明の第１の実施形態における通信機器の動作の一例を示す。
【図３】本発明の第２の実施形態における携帯型電話機の構成の一例を示す。
【図４】本発明の第２の実施形態における親密度判定部が備える判定基準の一例を示す。
【図５】本発明の第２の実施形態における画像記録部に記録された画像情報の一例を示す。
【図６】本発明の第２の実施形態における装飾部により装飾されたメールの一例を示す。
【図７】本発明の第３の実施形態における携帯型電話機の構成の一例を示す。
【図８】本発明の第３の実施形態における語句記録部に記録された情報の一例を示す。
【図９】本発明の第３の実施形態における画像記録部に記録された画像情報の一例を示す。
【図１０】本発明の第４の実施形態における携帯型電話機の構成の一例を示す。
【図１１】本発明の第５の実施形態における携帯型電話機の構成の一例を示す。
【図１２】本発明の第５の実施形態における親密度判定部が備える判定基準の一例を示す。
【図１３】本発明のその他の実施形態における通信システムの一例を示す。
【発明を実施するための形態】
【００１８】
本発明の実施の形態について図面を参照しながら説明する。しかしながら、係る形態は本発明の技術的範囲を限定するものではない。
【００１９】
[第１の実施形態]
本発明の第１の実施形態における通信機器１の構成について、図１を用いて説明する。
【００２０】
図１に記載の通信機器１は、宛先識別部２と、記録部３と、親密度判定部４と、画像決定部５と、装飾部６と、送信部７と、を有する。また、通信機器１には、宛先識別部２、親密度判定部４、画像決定部５、装飾部６、及び送信部７の各機能を実現するためのプログラムが与えられている。
【００２１】
宛先識別部２は、文書の送信先、すなわち通信相手を識別する。
【００２２】
記録部３は、データやプログラム等の様々な情報を記録する。本実施形態においては、記録部３は、通信機器１の通信履歴情報と、親密度に対応付けられた画像情報とを記録する。更に、記録部３は、通信機器１が備える各機能を実現するためのプログラムを記録する。そして、例えば、親密度判定部４及び画像決定部５が、記録部３に記録されたプログラムを読み出して、通信機器１の各構成要素に対し、それぞれの機能を実行させることとしても良い。
【００２３】
親密度判定部４は、記録部３に記録された通信履歴情報に基づいて、通信相手との親密度を判定する。画像決定部５は、親密度判定部４による判定と、記録部３に記録された画像情報とに基づいて、送信する文書に挿入する画像を決定する。装飾部６は、画像決定部５が決定した画像を、送信する文書に挿入する。そして、送信部７は、装飾部６によって画像が挿入された文書を、通信相手に送信する。
【００２４】
次に、本実施形態における通信機器１の動作について、図２を用いて説明する。
【００２５】
始めに、宛先識別部２が、文書の送信先、すなわち通信相手を識別する（ステップ１）。
【００２６】
次に、親密度判定部４は、識別された通信相手との通信履歴を、記録部３に記録された通信履歴情報から読み出す。そして、読み出した通信履歴に基づいて、通信相手との親密度を判定する（ステップ２）。
【００２７】
次に、画像決定部５は、親密度判定部４により判定された親密度と、記録部３に記録された画像情報とに基づいて、送信する文書に挿入する画像を決定する（ステップ３）。
【００２８】
そして、装飾部６は、画像決定部５によって決定された画像を、送信する文書に挿入する（ステップ４）。
【００２９】
最後に、送信部７は、装飾部６によって画像が挿入された文書を、通信相手に送信する（ステップ５）。
【００３０】
このように、本実施形態における通信機器１は、通信相手に送信する文書に、当該通信相手との親密度に応じた画像を挿入することが可能となる。すなわち、通信相手との親密度を反映させた文書を送信することが可能となる。
【００３１】
なお、本実施形態でいう通信相手とは、文書の送信先の通信機器そのものを指すとしても良い。この場合には、異なる通信機器においては、同じ利用者が所有する通信機器であったとしても、異なる通信相手として識別される。
【００３２】
あるいは、通信相手とは、文書の送信先の通信機器の利用者を指すとしても良い。この場合には、記録部３が、通信機器と当該通信機器の利用者とを対応付ける情報を記録することとしても良い。そして、宛先識別部２は、当該対応付けの情報に基づいて通信相手を識別するとしても良い。これにより、異なる通信機器であっても、それぞれが対応付けられている利用者が同じである場合には、同じ通信相手であると識別される。
【００３３】
[第２の実施形態]
本発明の第２の実施形態における携帯型電話機１１の構成について、図３を用いて説明する。
【００３４】
本実施形態における携帯型電話機１１は、宛先識別部１２と、記録部１３と、親密度判定部１４と、画像決定部１５と、装飾部１６と、送信部１７と、を有する。また、携帯型電話機１１には、宛先識別部１２、親密度判定部１４、画像決定部１５、装飾部１６、及び送信部１７の各機能を実現するためのプログラムが与えられている。
【００３５】
宛先識別部１２は、メールの送信先、すなわち通信相手を識別する。記録部１３は、携帯型電話機１１の通信履歴情報と、親密度に対応付けられた画像情報とを記録している。ここで、本実施形態における通信履歴情報とは、通信相手と所定の通信機能、例えばメール機能を利用したメールの遣り取りの回数とする。すなわち、記録部１３は、通信相手毎に、過去に遣り取りしたメールの回数を記録している。更に、記録部１３は、携帯型電話機１１が備える各機能を実現するためのプログラムを記録する。そして、例えば、親密度判定部１４及び画像決定部１５が、記録部１３に記録されたプログラムを読み出して、携帯型電話機１１の各構成要素に対し、それぞれの機能を実行させることとしても良い。
【００３６】
親密度判定部１４は、記録部１３に記録された通信履歴情報に基づいて、宛先識別部１２により識別された通信相手との親密度を判定する。本実施形態における画像情報は、キャラクタの変遷情報とする。画像決定部１５は、親密度判定部１４により判定された親密度と、記録部１３に記録されたキャラクタの変遷情報とに基づいて、送信するメールに挿入するキャラクタ画像を決定する。装飾部１６は、画像決定部１５により決定されたキャラクタ画像を、送信するメールに挿入する。送信部１７は、装飾部１６により画像が挿入されたメールを、通信相手に送信する。
【００３７】
次に、本実施形態における携帯型電話機１１の動作を説明する。
【００３８】
始めに、宛先識別部１２が、メールの送信先、すなわち通信相手を、例えばメールの宛先アドレスから識別する。
【００３９】
次に、親密度判定部１４は、宛先識別部１２により識別された通信相手との通信履歴を、記録部１３に記録された通信履歴情報から読み出す。そして、読み出した通信履歴に基づいて、通信相手との親密度を判定する。ここで、記録部１３には、過去にメールを遣り取りした通信相手毎に、メールを遣り取りした回数が記録されている。そして、親密度判定部１４は、例えば、図４に示すように、メールの遣り取りした回数からどのように親密度を判定するかという判定基準を備える。親密度判定部１４は、この判定基準に従い、通信相手との親密度を判定する。
【００４０】
次に、画像決定部１５は、親密度判定部１４により判定された親密度と、記録部１３に記録された画像情報とに基づいて、メールに挿入する画像を決定する。記録部１３には、親密度に対応付けられた画像情報が記録されている。本実施形態における記録部１３には、例えば図５に示すような、親密度に対応付けられたキャラクタの変遷情報が記録されている。すなわち、親密度が上がるにつれて、キャラクタが「卵」→「ひび入り卵」→「ひよこ」→「鶏」というように、キャラクタが成長する画像情報が記録されている。この場合、例えば、親密度判定部１４による親密度の判定が「レベル２」であった場合、画像決定部１５は、メールに挿入する画像を「ひび入り卵」に決定する。
【００４１】
装飾部１６は、画像決定部１５により決定された画像を、例えば図６のようにして、送信するメールに画像を挿入する。
【００４２】
そして、送信部１７は、装飾部１６により画像が挿入されたメールを、通信相手に送信する。
【００４３】
以上のように、本実施形態においては、通信相手との親密度に応じて、通信相手に送信するメールに挿入するキャラクタ画像を決定することが可能となる。すなわち、通信相手との親密度を反映させたメールを送信することが可能となる。
【００４４】
そのため、携帯型電話機１１の利用者及び通信相手は、お互いの親密度を容易に確認することができ、メールを送受信する楽しみが増す。
【００４５】
また、本実施形態においては、記録部１３が記録する画像情報を、キャラクタの変遷情報としたが、これに限らない。すなわち、画像情報は、親密度に対応付けられていれば、例えば、メールの背景やフレーム等の画像情報であっても良い。あるいは、キャラクタの変遷情報と、メールの背景やフレーム等の画像情報から、複数を組み合わせた画像情報としても良い。
【００４６】
また、本実施形態においては、記録部１３が記録する通信履歴情報を、メールを遣り取りした回数としたが、これに限らない。すなわち、過去に遣り取りしたメールのデータ量、例えば文字数の履歴を記録することとしても良い。そして、親密度判定部１４は、通信相手と過去に遣り取りしたメールのデータ量が多いほど、通信相手との親密度が高いと判定するとしても良い。この場合、メールを遣り取りした回数は少なくとも、長文に渡るメールを遣り取りする通信相手とは、親密度が高いと判定される。
【００４７】
また、記録部１３は、通信履歴情報として、通信相手との通信の時間間隔の履歴を記録することとしても良い。そして、親密度判定部１４は、通信相手との通信の時間間隔が短い程、親密度が高いと判定するとしても良い。この場合、親密度判定部１４は、例えば、何年も前にメールを遣り取りしている通信相手であっても、最近全くメールの遣り取りがなく、通信の時間間隔が非常に空いている通信相手の場合、親密度は低いと判定する。
【００４８】
あるいは、記録部１３は、通信履歴情報として、メールを遣り取りした回数の履歴、メールのデータ量の履歴、及び通信の時間間隔の履歴のうち、複数の種類の通信履歴情報を記録することとしても良い。そして、親密度判定部１４は、記録部１３に記録された複数の種類の通信履歴情報に基づいて、総合的に、通信相手との親密度を判定することとしても良い。
【００４９】
[第３の実施形態]
本発明の第３の実施形態における携帯型電話機２１の構成について、図７を用いて説明する。
【００５０】
本実施形態の携帯型電話機２１は、第１の実施形態における携帯型電話機１１の構成と比較すると、記録部１３及び画像決定部１５に代えて記録部２２及び画像決定部２３を有する点で異なる。更に、本実施形態における携帯型電話機２１は、携帯型電話機１１の構成に加えて、抽出部２４と、感情判定部２５と、を有する。
【００５１】
記録部２２は、携帯型電話機２１の通信履歴情報と、親密度と感情の種類とに対応付けられた画像情報と、所定の感情の種類毎に定められた語句の語句情報と、を記録する。ここで、本実施形態における画像情報は、親密度と感情の種類とに対応付けられたキャラクタの変遷情報とする。更に、記録部２２は、携帯型電話機２１が備える各機能を実現するためのプログラムを記録する。そして、第１の実施形態と同様に、例えば、親密度判定部１４及び画像決定部２３が、記録部２２に記録されたプログラムを読み出して、携帯型電話機２１の各構成要素に対し、それぞれの機能を実行させることとしても良い。
【００５２】
抽出部２４は、送信するメールの文書から、該文書に含まれる語句を抽出する。感情判定部２５は、記録部２２に記録された語句情報を参照して、抽出部２４が抽出した語句が属する感情の種類を判定する。
【００５３】
画像決定部２３は、親密度判定部１４により判定された親密度と、感情判定部２５により判定された感情の種類と、記録部２２に記録された画像情報とに基づいて、メールに挿入する画像を決定する。
【００５４】
次に、本実施形態の携帯型電話機の動作について詳細に説明する。
【００５５】
宛先識別部１２、親密度判定部１４、装飾部１６、送信部１７はそれぞれ、第１の実施形態と同様の機能を有するため、動作の説明は省略する。
【００５６】
抽出部２４は、送信するメールの文書から、該文書に含まれる語句を抽出する。ここで、記録部２２に記録される語句情報には、例えば図８のような、感情の種類と語句を対応付けする情報が含まれている。
【００５７】
そして、感情判定部２５は、記録部２２の語句情報を参照して、抽出部２４が抽出した語句がどの感情の種類に属するのかを判定する。例えば、抽出部２４が「わーい」という語句を抽出した場合、感情判定部２５は、この語句は「喜び」という感情の種類に属すると判定する。これにより、感情判定部２５は、このメールは「喜び」という感情の種類に属するメールであると判定する。
【００５８】
なお、抽出部２４が、複数の語句を抽出し、それぞれの語句が異なる感情の種類に属する場合が考えられる。この場合には、送信するメールが属する感情の種類は、当該メールにおいて最も頻出度の高い語句の感情の種類と同じであるとしても良い。例えば、メールの文書から、「喜び」の感情の種類に属する語句が２つと、「悲しみ」の感情の種類に属する語句が１つ抽出された場合、感情判定部２５は、このメールは「喜び」の感情の種類に属すると判定するとしても良い。あるいは、送信するメールが属する感情の種類は、当該メールの文書を冒頭から検索した場合に、最初に抽出した語句が属する感情の種類と同じであるとしても良い。
【００５９】
また、送信するメールに、記録部２２に記録された語句情報に含まれる語句が存在しない場合が考えられる。すなわち、抽出部２４が、記録部２２に記録された語句情報に含まれる語句のうち、いずれの語句も抽出しない場合が考えられる。この場合には、感情判定部２５は、このメールの感情の種類を「感情なし」と判定することとしても良い。
【００６０】
次に、画像決定部２３は、親密度判定部１４により判定された親密度と、感情判定部２５により判定された感情の種類とに基づいて、メールに挿入する画像を決定する。
【００６１】
この時、画像決定部２３は、記録部２２に記録された画像情報を参照して、メールに挿入する画像を決定する。ここで、記録部２２に記録された画像情報とは、親密度と感情の種類とに対応付けられた画像情報であり、例えば図９に示すようなものである。この場合、例えば、親密度判定部１４により判定された親密度が「レベル３」であり、感情判定部２５により判定された感情の種類が「喜び」であった場合、画像決定部２３は、メールに挿入する画像を「喜び顔のヒヨコ」に決定する。
【００６２】
以上のように、本実施形態においては、通信相手に送信するメールに、通信相手との親密度を反映させるだけでなく、送信するメールに現れる感情をも反映させることができる。すなわち、本実施形態の携帯型電話機２１は、通信相手との親密度と、メールの内容が属する感情の種類とを反映したメールを送信することができる。
【００６３】
[第４の実施形態]
本発明の第４の実施形態における携帯型電話機３１の構成について、図１０を用いて説明する。
【００６４】
本実施形態における携帯型電話機３１の構成は、第３の実施形態における携帯型電話機２１と比較して、記録部２２及び画像決定部２３に代えて、記録部３２及び画像決定部３３を有する点において異なる。
【００６５】
本実施形態における記録部３２は、携帯型電話機３１の通信履歴情報と、画像情報Ａと、画像情報Ｂと、所定の感情の種類毎に定められた語句の語句情報と、を記録する。
【００６６】
画像情報Ａとは、感情の種類に対応した画像情報である。また、画像情報Ｂとは、親密度に対応した画像情報である。
【００６７】
また、記録部３２は、携帯型電話機３１が備える各機能を実現するためのプログラムを記録する。そして、第１乃至第３の実施形態と同様に、例えば、親密度判定部１４及び画像決定部３３が、記録部３２に記録されたプログラムを読み出して、携帯型電話機３１の各構成要素に対し、それぞれの機能を実行させることとしても良い。
【００６８】
次に、本実施形態における携帯型電話機３１の動作について説明する。
【００６９】
なお、記録部３２に記録された画像情報Ａ，Ｂと、画像決定部３３による画像の決定の動作以外については、第３の実施形態と同様であるので、省略する。
【００７０】
画像決定部３３は、感情判定部２５により感情の種類が判定されると、判定された感情の種類と、記録部３２に記録された画像情報Ａとに基づいて、メールに挿入する第１の画像を決定する。本実施形態においては、画像情報Ａは、感情の種類に対応するフレームの画像情報とする。すなわち、第１の画像とは、感情の種類に対応したフレームの画像とする。
【００７１】
更に、画像決定部３３は、親密度判定部１４により親密度が判定されると、判定された親密度と、記録部３２に記録された画像情報Ｂとに基づいて、メールに挿入する第２の画像を決定する。本実施形態においては、画像情報Ｂは、例えば図５で示したような、親密度に対応するキャラクタの変遷情報とする。すなわち、第２の画像とは、親密度に対応したキャラクタ画像とする。
【００７２】
以上のように、本実施形態においては、第３の実施形態と同様、送信するメールに、送信先との親密度を反映させるだけでなく、送信するメールに現れる感情をも反映させることができる。
【００７３】
なお、本実施形態においては、感情に対応する画像情報をメールのフレーム画像としたが、これに限らない。すなわち、例えば、感情に対応する画像情報をメールの背景の画像情報としても良い。あるいは、抽出部２４が抽出した語句そのものを装飾対象として、語句を装飾する画像情報としても良い。
【００７４】
[第５の実施形態]
本発明の第５の実施形態における携帯型電話機４１の構成について、図１１を用いて説明する。本実施形態における携帯型電話機４１は、第２の実施形態における携帯型電話機１１と比較して、親密度判定部１４に代えて親密度判定部４２を有する点において異なる。更に、本実施形態における携帯型電話機４１は、携帯型電話機１１の構成に加えて、位置情報取得部４３を備える。
【００７５】
位置情報取得部４３は、携帯型電話機４１と、宛先識別部１２により認識された通信相手との位置をそれぞれ検出する。
【００７６】
本実施形態における携帯型電話機４１の動作の説明を行う。なお、位置情報取得部４３による位置の検出、及び親密度判定部４２による親密度の判定の動作以外については、第２の実施形態と同様であるので、省略する。
【００７７】
位置情報取得部４３は、携帯型電話機４１と、宛先識別部１２により認識された通信相手の位置をそれぞれ検出する。そして、携帯型電話機４１と、通信相手との実距離を算出する。位置情報取得部４３は、例えばＧＰＳ（ｇｌｏｂａｌ−ｐｏｓｉｔｉｏｎｉｎｇ−ｓｙｓｔｅｍ）を利用して位置情報を取得する。
【００７８】
次に、親密度判定部４２は、位置情報取得部４３が算出した実距離と、記録部１３に記録された通信履歴情報とに基づいて、通信相手との親密度を判定する。ここで、本実施形態における親密度判定部４２は、例えば図１２に示すように、履歴記録部に記録されたメールの遣り取りした回数と、実距離から、どのように親密度を判定するのかという判定基準を備えている。親密度判定部４２は、この判定基準に従って、通信相手との親密度を判定する。
【００７９】
以上のように、本実施形態においては、通信相手との親密度を、通信履歴だけではなく、通信相手との実距離をも反映させることが可能となる。そのため、通信相手がどこにいるか分からない場合、通信履歴のみで親密度を判定する場合と比較して親密度の予測が難しくなるため、メールを送受信する楽しみが増す。
【００８０】
なお、本実施形態は、第２の実施形態における携帯型電話機１１に、位置情報取得部４３を加えた構成としたが、これに限らない。すなわち、第３の実施形態や第４の実施形態における携帯型電話機２１、３１に、位置情報取得部４３を加えた構成としても良い。
【００８１】
[その他の実施形態]
なお、本発明は、第１乃至第５の各実施形態に限定されるものではなく、様々な実施の形態を採り得るものである。例えば、第２乃至第５の実施形態では、通信機器として携帯型電話機を例にして説明したが、これに限らない。すなわち、メールを作成・送信するメール機能を備えたパソコンやファクシミリやＰＤＡ（Personal-Digital-Assistant）にも適用することができる。
【００８２】
更に、第１乃至第５の実施形態では、宛先識別部が通信相手を識別する工程から、装飾部がメールに画像を挿入する工程までは自動で行われることとしたが、これに限らない。すなわち、装飾部がメールに画像を挿入するまでのいずれかの段階で、メールを送信する通信機器の利用者が、メールに画像を挿入するか否かを選択できるようにしても良い。これにより、画像の挿入が好ましくないメールを送信する場合や、画像決定部が決定した画像が気に入らない場合には、メールへの画像の挿入を中止することが可能となる。
【００８３】
更に、第１乃至第５の実施形態に、例えば、記録部に記録された画像情報の変更を可能とする構成を加えても良い。例えば、カメラが備えられている携帯型電話機においては、記録部に記録された画像情報に含まれる画像を、当該カメラによって撮影された画像に変更可能な構成であっても良い。また、情報通信網を利用して取得した画像に変更可能な構成であっても良い。このような機能を備えることによって、通信機器の利用者の、より好みにあった装飾を文書に行うことができる。
【００８４】
更に、第２乃至第５の実施形態におけるキャラクタの変遷情報では、親密度が上がるにつれて、キャラクタが育成される画像情報としたが、これに限らない。すなわち、例えば、「ねずみ」→「うさぎ」→「犬」→「馬」というように、異なる動物へ変遷していくようにしてもよい。
【００８５】
更に、第１乃至第５の実施形態においては、通信機器が記録部を備えることとしたが、これに限らない。すなわち、例えば、図１３に示すように、通信機器５１と有線あるいは無線で接続された外部のデータベース５２に、通信履歴情報及び画像情報を記録させることとしても良い。この場合、親密度判定部や画像決定部は、外部のデータベース５２に問い合わせることにより、親密度の判定あるいは画像の決定を行う。また、第３の実施形態における記録部に記録された語句情報についても同様に、外部のデータベース５２に記録させることとしても良い。
【００８６】
これにより、通信機器自体に通信履歴情報や画像情報、あるいは語句情報を記録する必要がなくなる。そのため、通信履歴情報や画像情報のデータ量が膨大となった場合においても、通信機器自体の容量を上げる必要がないため、通信機器の小型化を実現することができる。
【符号の説明】
【００８７】
１、５１  通信機器
２、１２  宛先識別部
３、１３、２２、３２  記録部
４、１４、４２  親密度判定部
５、１５、２３、３３  画像決定部
６、１６  装飾部
７、１７  送信部
１１、２１、３１、４１  携帯型電話機
２４  抽出部
２５  感情判定部
４３  位置情報取得部
５２  データベース
【図１】
2011043939.tif 000003
【図２】
2011043939.tif 000004
【図３】
2011043939.tif 000005
【図４】
2011043939.tif 000006
【図５】
2011043939.tif 000007
【図６】
2011043939.tif 000008
【図７】
2011043939.tif 000009
【図８】
2011043939.tif 000010
【図９】
2011043939.tif 000011
【図１０】
2011043939.tif 000012
【図１１】
2011043939.tif 000013
【図１２】
2011043939.tif 000014
【図１３】
2011043939.tif 000015